【手続補正書】
【提出日】平成19年11月21日(2007.11.21)
【手続補正１】
【補正対象書類名】明細書
【補正対象項目名】０００７
【補正方法】変更
【補正の内容】
【０００７】
通信システムは複数のサービス・プロバイダと少なくとも１つの管理ユニットとを有し、少なくとも１つの管理ユニットは、複数のサービス・プロバイダのうちの少なくとも１つのサービス・プロバイダを選択し、この少なくとも１つのサービス・プロバイダの少なくとも１つのサービスを利用して、少なくとも１人のエンド・ユーザに通信セッションを提供し、少なくとも１つの管理ユニットは、少なくとも１つの他の管理ユニットと協働し、複数のサービス・プロバイダのうちの少なくとも１つのサービス・プロバイダおよび少なくとも１つの他のサービス・プロバイダによって提供されるサービスを仮想化する。
【手続補正２】
【補正対象書類名】明細書
【補正対象項目名】００１４
【補正方法】変更
【補正の内容】
【００１４】
通信セッションを提供するための方法は、通信セッションを管理するための少なくとも１つのサーバにアクセスすること、複数のサービス・プロバイダのうちの少なくとも１つのサービス・プロバイダを選択すること、および、少なくとも１人のエンド・ユーザに通信セッションを提供するために少なくとも１つのサービス・プロバイダの少なくとも１つのサービスを利用することを有し、少なくとも１つの管理ユニットは、少なくとも１つの他の管理ユニットと協働し、複数のサービス・プロバイダのうちの少なくとも１つのサービス・プロバイダおよび少なくとも１つの他のサービス・プロバイダによって提供されるサービスを仮想化する。
【手続補正３】
【補正対象書類名】明細書
【補正対象項目名】００１９
【補正方法】変更
【補正の内容】
【００１９】
本発明の一実施形態では、マシンによる読み取り可能なプログラム・ストレージ・デバイスが、通信セッションを提供するための方法ステップを実行するためにマシンによって実行可能なプログラムを有形に具体化する。この方法ステップは、複数のサービス・プロバイダのうちの少なくとも１つのサービス・プロバイダを選択すること、および少なくとも１人のエンド・ユーザに通信セッションを提供するために少なくとも１つのサービス・プロバイダの少なくとも１つのサービスを利用することを含み、少なくとも１つの管理ユニットは、少なくとも１つの他の管理ユニットと協働し、複数のサービス・プロバイダのうちの少なくとも１つのサービス・プロバイダおよび少なくとも１つの他のサービス・プロバイダによって提供されるサービスを仮想化する。
【手続補正４】
【補正対象書類名】特許請求の範囲
【補正対象項目名】全文
【補正方法】変更
【補正の内容】
【特許請求の範囲】
【請求項１】
複数のサービス・プロバイダと、
少なくとも１つの管理ユニットと、
を有する通信システムであって、前記少なくとも１つの管理ユニットが、
前記複数のサービス・プロバイダのうちの少なくとも１つのサービス・プロバイダを選択し、
前記少なくとも１つのサービス・プロバイダの少なくとも１つのサービスを利用して、少なくとも１人のエンド・ユーザに通信セッションを提供し、
さらに前記少なくとも１つの管理ユニットは、少なくとも１つの他の管理ユニットと協働し、前記複数のサービス・プロバイダのうちの前記少なくとも１つのサービス・プロバイダおよび少なくとも１つの他のサービス・プロバイダによって提供されるサービスを仮想化する、通信システム。
【請求項２】
前記通信セッションが、会議通話および２地点間通話のうちの少なくとも１つを含むＶｏＩＰセッションである、請求項１に記載の通信システム。
【請求項３】
前記少なくとも１人のエンド・ユーザが、アクセス・ネットワークを介して少なくとも１つの管理ユニットと接触する、請求項１または２に記載の通信システム。
【請求項４】
前記通信システムのシグナリング・プロトコルがセッション開始プロトコルである、請求項１から３のいずれか一項に記載の通信システム。
【請求項５】
前記複数のサービス・プロバイダのうちのそれぞれのサービス・プロバイダが、少なくとも１つのＶｏＩＰサービスを提供することができ、
前記それぞれのサービス・プロバイダのサービスが、所定の基準に基づいてサービス・セグメントに分割される、請求項１から４のいずれか一項に記載の通信システム。
【請求項６】
前記所定の基準が、サービス位置、サービス・タイプ、サービス期間、サービス・タイミング、およびサービス品質のうちの少なくとも１つを含む、請求項５に記載の通信システム。
【請求項７】
前記少なくとも１つの管理ユニットが、少なくとも１つのサービス・レベルの合意に従って、前記複数のサービス・プロバイダのうちの前記少なくとも１つのサービス・プロバイダと少なくとも１つの他のサービス・プロバイダとのサービスを仮想化する、請求項１から６のいずれか一項に記載の通信システム。
【請求項８】
前記少なくとも１つのサービス・レベルの合意が、
前記少なくとも１つのサービス・プロバイダと前記少なくとも１つの他のサービス・プロバイダとの間、
前記少なくとも１つの管理ユニットと前記少なくとも１つのサービス・プロバイダとの間、および
前記少なくとも１つの管理ユニットと少なくとも１つの他の管理ユニットとの間、
の合意のうち、少なくとも１つである、請求項７９に記載の通信システム。
【請求項９】
前記複数のサービス・プロバイダのうちの前記少なくとも１つのサービス・プロバイダと少なくとも１つの他のサービス・プロバイダとの間、
前記少なくとも１つの管理ユニットと前記少なくとも１つのサービス・プロバイダとの間、
前記少なくとも１つの管理ユニットと少なくとも１つの他の管理ユニットとの間、および
前記少なくとも１人のエンド・ユーザとアクセス・ネットワークとの間、
のサービス・レベルの合意のうち、少なくとも１つをさらに有する、請求項１から８のいずれか一項に記載の通信システム。
【請求項１０】
前記少なくとも１つの管理ユニットが、
前記少なくとも１人のエンド・ユーザを識別すること、
前記少なくとも１人のエンド・ユーザが前記通信セッションを要求するための権利を決定すること、および
請求プロセスをトリガすること、
の機能のうち、少なくとも１つの機能に関する許可ユニットとを含み、
さらに、
最適な音声パスを計算すること、
前記少なくとも１つのサービス・プロバイダを選択すること、ならびに
前記少なくとも１つの管理ユニットおよび少なくとも１つの他の管理ユニットからマスタ管理ユニットを選択すること、
の機能のうち、少なくとも１つの機能に関するパス計算ユニットを含む、請求項１から９のいずれか一項に記載の通信システム。
【請求項１１】
前記最適な音声パスの計算および前記少なくとも１つのサービス・プロバイダの選択が、サービス・レベルの合意およびセッション性能情報のうちの少なくとも１つに基づくものである、請求項１０に記載の通信システム。
【請求項１２】
前記セッション性能情報が、音声品質情報、通信リンク状況情報、およびリソース状況情報のうちの、少なくとも１つを含む、請求項１１に記載の通信システム。
【請求項１３】
前記少なくとも１つの管理ユニットが、
前記通信セッションに関する音声品質を測定すること、
サービス境界を画定すること、および
前記通信セッションに関する少なくとも１つのサービス・レベルの合意を定義すること、
の機能のうちの、少なくとも１つの機能に関する監視ユニットと、
サービス・レベルの合意情報と、
セッション性能情報と、
のうちの、少なくとも１つを格納するためのデータベース・ユニットを含み、
または、
前記少なくとも１つの管理ユニットと少なくとも１つの他の管理ユニットとの間で通信するための通信ユニットと
最適な音声パスを計算すること、および前記少なくとも１つのサービス・プロバイダを選択することのうちの、少なくとも１つのためのパス計算ユニットと、
前記通信セッションに関する性能情報を集めるための監視ユニットと、
前記最適な音声パスをセットアップするためのパス・セットアップ・ユニットと、
を含む、請求項１から１２のいずれか一項に記載の通信システム。
【請求項１４】
前記少なくとも１つのサービス・プロバイダが、少なくとも１つのサービス・レベルの合意の下でアクセス可能な、少なくとも１つのアクセス・ポイントを含む、請求項１３に記載の通信システム。
【請求項１５】
前記パス計算ユニットが、前記監視ユニットによって集められた前記性能情報を使用して、前記最適な音声パスを計算すること、および前記少なくとも１つのサービス・プロバイダを選択することのうちの、少なくとも１つを実行する、請求項１４に記載の通信システム。
【請求項１６】
通信セッションを管理するための少なくとも１つのサーバにアクセスすること、
複数のサービス・プロバイダのうちの少なくとも１つのサービス・プロバイダを選択すること、および、
少なくとも１人のエンド・ユーザに前記通信セッションを提供するために前記少なくとも１つのサービス・プロバイダの少なくとも１つのサービスを利用すること、
を有する、通信セッションを提供するための方法であって、
さらに前記少なくとも１つの管理ユニットは、少なくとも１つの他の管理ユニットと協働し、前記複数のサービス・プロバイダのうちの前記少なくとも１つのサービス・プロバイダおよび少なくとも１つの他のサービス・プロバイダによって提供されるサービスを仮想化する、方法。
【請求項１７】
最適な音声パスを計算すること、および
前記最適な音声パスをセットアップすること、
をさらに有する、請求項１６に記載の方法。
【請求項１８】
前記最適な音声パスをセットアップすることが、
前記少なくとも１つのサービス・プロバイダと、前記通信セッションを管理するための前記少なくとも１つのサーバとの間に、第１の接続を確立すること、
前記少なくとも１つのサービス・プロバイダと、前記複数のサービス・プロバイダのうちの少なくとも１つの他のサービス・プロバイダとの間に、第２の接続を確立すること、および、
前記少なくとも１つの他のサービス・プロバイダと、前記通信セッションを管理するための少なくとも１つの他のサーバとの間に、第３の接続を確立すること、
を含む、請求項１７に記載の方法。
【請求項１９】
請求項１６乃至１８のいずれか１項に記載の方法の各ステップをコンピュータに実行させるためのコンピュータ・プログラム。